【事件の表示】
　特許第３３４６０５０号「視度調節装置」の請求項１及び２に係る特許に対する特許異議の申立てについて、次のとおり決定する。
【結　論】
　訂正を認める。
　特許第３３４６０５０号の請求項１及び２に係る特許を維持する。
【理　由】
１．手続の経緯
　本件特許第３３４６０５０号の請求項１および２に係る発明についての出願は、平成６年１０月５日に特許出願され、平成１４年９月６日にそれらの発明について特許の設定登録がなされ、その後、その特許について、小嶋武雄より特許異議申立てがなされ、当審より取消理由が通知され、訂正請求がなされたが、この訂正請求はその後取り下げられ、再度、平成１６年４月８日付けで取消理由が通知され、その指定期間内である平成１６年５月１０日に訂正請求がなされたものである。
　
２．訂正の適否
（１）訂正の内容
　訂正前の特許請求の範囲の請求項１に記載の、
「光学系を介して虚像を観察する光学装置の視度調節装置において、前記虚像とともに前記虚像から前記光学系に至る光路上に視度調節のための参照像を表示し、該参照像と前記虚像の両像が鮮明に見えるように視度調節を行うことで、前記虚像を観察者の眼が焦点を合わせうる距離範囲内の遠方に位置させることを特徴とする視度調節装置。」を、
「映像表示装置に表示される映像を光学系を介して観察する光学装置の視度調節装置において、前記映像表示装置から前記光学系に至る光路上に視度調節のための参照像を表示する参照像表示装置を設け、該参照像と前記映像の両像が鮮明に見えるように視度調節を行うことで、前記映像の虚像を観察者の眼が焦点を合わせうる距離範囲内の遠方に位置させることを特徴とする視度調節装置。」と訂正する。
（２）訂正の目的の適否、新規事項の有無及び拡張・変更の存否
　上記訂正において、「光学系を介して虚像を観察する」を「映像表示装置に表示される映像を光学系を介して観察する」とする訂正は、本件発明の構成要件をより正確に表現したものであり、明りょうでない記載の釈明を目的とするものに該当する。また、「参照像表示装置を設け」とする補正は、前記映像表示装置から前記光学系に至る光路上に参照像表示装置の構成要件を付加するものであり、特許請求の範囲の減縮を目的とするものに該当する。
　また、上記訂正は、新規事項の追加に該当せず、実質的に特許請求の範囲を拡張又は変更するものではない。
（３）むすび
　したがって、上記訂正は、特許法第１２０条の４第３項において準用する平成６年法律第１１６号による改正前の特許法第１２６条第１項ただし書、第２項及び第３項の規定に適合するので、当該訂正を認める。
　
３．特許異議申立についての判断
（１）本件発明
　上記２．で示したように上記訂正は認められるから、本件特許の請求項１および２に係る発明（以下、「本件発明１」および「本件発明２」という。）は、平成１６年５月１０日付けの訂正請求書に添付された特許明細書の特許請求の範囲の請求項１及び２に記載された次のとおりのものである。
「【請求項１】映像表示装置に表示される映像を光学系を介して観察する光学装置の視度調節装置において、前記映像表示装置から前記光学系に至る光路上に視度調節のための参照像を表示する参照像表示装置を設け、該参照像と前記映像の両像が鮮明に見えるように視度調節を行うことで、前記映像の虚像を観察者の眼が焦点を合わせうる距離範囲内の遠方に位置させることを特徴とする視度調節装置。
【請求項２】前記参照像は視度調節時以外は不可視にされることを特徴とする請求項１に記載の視度調節装置。」
（２）異議申立の理由の概要
 異議申立人は、特開平２−１８５１２号公報（以下、「刊行物１」という。）を提示し、訂正前の請求項１及び２の発明は刊行物１に記載された発明に基づいて当業者が容易に発明することできたものであり、許法第２９条第２項の規定により特許を受けることができないものであるとともに、訂正前の請求項１の発明は、特許を受けようとする発明の構成に欠くことができない事項のみを記載したものではないから、明細書及び図面の記載が不備があり、特許法第３６条第５項第２号に規定により特許を受けることができないものであって、これらの発明についての特許を取り消すべきと主張する。
（３）刊行物に記載された発明の概要
刊行物１（特開平２−１８５１２号公報）には、顕微鏡等の視度調節装置に関し、液晶部材に結像された観察物の実像と十文字線からなる参照像が共に鮮明に見えるように視度を調節する視度調節装置が記載されている。
（４）当審の判断
　本件発明１及び２と刊行物１に記載の発明とを対比すると、刊行物１の液晶部材は本件発明１に係る参照像表示装置に相当するものであり、十文字線からなる参照像を表示するものであるが、さらに、観察物の実像も表示するものである。これに対し、本件発明１及び２に係る参照像表示装置は参照像のみを表示するものであり、参照像表示装置と別個に映像表示装置が配置され、参照像と映像がともに鮮明に見えるように視度調節をおこなうものである。しかるに、刊行物１にはこの構成についての記載がないばかりか、示唆する記載もない。
　本件発明１及び２は、この構成により、観察対象の虚像を遠方に位置させることができ、目の疲労を軽減することができるという本件明細書記載の格別な作用効果を奏するものである。
　したがって、本件発明１及び２について、申立人が提出した刊行物１に記載された発明に基いて当業者が容易に発明できたとすることはできない。
　また、異議申立人が主張する本件特許明細書の記載不備は上記訂正により解消された。
　
４．まとめ
　以上のとおりであるから、特許異議申立の理由及び証拠によっては、本件発明についての特許を取り消すことはできない。
　また他に本件発明についての特許を取り消すべき理由を発見しない。
　よって、結論のとおり決定する。
【異議決定日】
平成１６年５月２８日（２００４．５．２８）
【訂正の要旨】
審決（決定）の【理由】欄参照。
（５４）【発明の名称】
視度調節装置
（５７）【特許請求の範囲】
　【請求項１】　
映像表示装置に表示される映像を
介して観察
前記映像表示装置
する参照像表示装置を設け
映像
映像の
　【請求項２】　前記参照像は視度調節時以外は不可視にされることを特徴とする請求項１に記載の視度調節装置。
【発明の詳細な説明】
　【０００１】
　【産業上の利用分野】
　本発明は、双眼鏡、カメラファインダー、ＨＭＤ（ヘッドマウンテッドディスプレイ）等、像をレンズやミラー等の光学系を介して観察する装置の視度調節に関するものである。
　【０００２】
　【従来の技術】
　人間の眼は、通常、至近距離から無限遠までの任意の距離に位置する観察対象物を鮮明に見ることができるように、対象物までの距離に応じて適切なピント調節がなされる。ところが、近視や遠視の場合はこのピント調節機能が低下し、鮮明に観察し得る対象物の距離範囲が限定されてしまう。
　【０００３】
　レンズあるいは光学ミラーを通して虚像観察を行うための光学装置においては、観察者の正視、近視、遠視にかかわらず鮮明な像を眼に供するために、視度調節のための機構を設ける必要がある。視度調節機構としては接眼レンズをその光軸に沿って前後に動かすようにしたものが最も一般的であり、例えば双眼鏡で公知なように、観察者自身が対象物である像を観察しながら、その像を鮮明に見ることができるように接眼レンズの位置を調節する。眼から虚像までの距離は接眼レンズの設定位置に依存して変化するため、鮮明な像観察ができる虚像位置を設定することができる。
　【０００４】
　ところが、近視や遠視であっても、ピントが合う距離にはある程度の範囲があり、対象物までの距離がその範囲内であれば鮮明に観察することができる。したがって、観察者自身が視度調節を行って鮮明な像観察ができるようにしたときにも、眼から虚像までの距離は常時一定に設定されるものではなく、時により変動する。一般に人間の眼は、眼から対象物までの距離が短いほど緊張する。視度調節において虚像を眼に近い位置に設定してしまうと、鮮明な像を観察することはできるが、眼は緊張し疲労することになる。
　【０００５】
　また、接眼レンズをその時の設定位置から前または後ろに動かして視度調節を行う時に、接眼レンズをどちらの方向に動かすべきかの情報がないため、試行錯誤を行って移動方向を知る必要がある。さらに、上記の従来の方法による視度調節は実際の対象像を観察しながら行うものであるから、観察対象像自体が鮮明な輪郭あるいは直線などの鮮鋭な部位を有しないときには視度調節は著しく困難になる。この場合、調節操作に長時間を要する上、完全な視度調節をすることができない恐れもある。
　【０００６】
　【発明が解決しようとする課題】
　このように、従来の方法による視度調節では、鮮明に観察し得る虚像距離にある程度の範囲が存在することに起因して、観察者の眼精疲労を招く視度設定をする恐れがある。また、観察対象によっては確実な視度調節がなされず、視度調節の目的が十分に達成できないこともある。
　【０００７】
　本発明は、視度の調節が確実かつ容易にでき、しかも観察者の眼の緊張を軽減するために、観察対象である虚像の位置を遠方に設定する視度調節装置を提供することを目的とする。
　【０００８】
　【課題を解決するための手段】
　上記目的を達成するために、本発明では、光学系を介して虚像を観察する光学装置の視度調節装置において、虚像とともに虚像から光学系に至る光路上に視度調節のための参照像を表示し、参照像と虚像の両像が鮮明に見えるように視度調節を行うことで、虚像を観察者の眼が焦点を合わせうる距離範囲内の遠方に位置させる構成とする。
　【０００９】
　また、参照像は視度調節時以外は不可視にされる構成とする。
　【００１０】
　【作用】
　虚像とともに虚像から光学系に至る光路上に視度調節のための参照像を表示し、参照像と虚像の両像が鮮明に見えるように視度調節を行うことで、虚像を観察者の眼が焦点を合わせうる距離範囲内の遠方に位置させる構成では、参照像は観察対象である虚像よりも眼の近くに表示されるので、虚像を鮮明に観察することができ参照像も鮮明に観察することができるようにするだけで、観察対象である虚像が遠方に位置する状態となる。
　【００１１】
　参照像が視度調節時以外は不可視にされる構成では、視度調節時には参照像が表示されて観察対象である虚像を遠方に位置させることができ、視度調節後は参照像は虚像観察を妨害しない。
　【００１２】
　【実施例】
　図１に本発明の視度調節装置を用いた両眼視用の光学装置の構成を示す。本装置はＬＣＤ（液晶表示装置）から成る左右１対の映像表示装置１Ｌ、１Ｒを備えており、映像表示装置１Ｌ、１Ｒに表示された映像をそれぞれ左右の接眼レンズ２Ｌ、２Ｒを介して左右の眼４Ｌ、４Ｒで観察する。左右の接眼レンズ２Ｌ、２Ｒはそれぞれの光軸５Ｌ、５Ｒを平行にして設置され、映像表示装置１Ｌ、１Ｒは表示面が同一平面上に存在し、かつ光軸５Ｌ、５Ｒに対して垂直で光軸５Ｌ、５Ｒがそれぞれの表示面の中心を通るように設置されている。
　【００１３】
　左接眼レンズ２Ｌは光軸５Ｌに沿う方向に可動に設置されており、接眼レンズ２Ｌを光軸５Ｌに沿って移動させて映像表示装置１Ｌと接眼レンズ２Ｌの距離を調節することで左眼４Ｌの視度調節が行われる。右接眼レンズ２Ｒも同様に光軸５Ｒに沿って可動に設定されており、右接眼レンズ２Ｒの位置調節で右眼４Ｒの視度調節が行われる。左右接眼レンズ２Ｌ、２Ｒの移動は互いに独立しており、視度調節は左右独立に行うことができる。
　【００１４】
　左映像表示装置１Ｌと左接眼レンズ２Ｌの間および右映像表示装置１Ｒと右接眼レンズ２Ｒの間には透過型のＬＣＤから成る参照像表示装置３Ｌ、３Ｒが配設されている。左右の参照像表示装置３Ｌ、３Ｒは映像表示装置１Ｌ、１Ｒの表示面から等距離に設置されている。これらの参照像表示装置３Ｌ、３Ｒは、視度調節操作時に参照するための参照像を表示する。
　【００１５】
　像表示の制御のための回路構成を図２に示す。映像表示装置１Ｌ、１Ｒは駆動回路１１Ｌ、１１Ｒにより駆動され、参照像制御装置３Ｌ、３Ｒは駆動回路１３Ｌ、１３Ｒにより駆動される。これらの駆動回路１１Ｌ、１１Ｒ、１３Ｌ、１３Ｒは表示制御装置１０によって制御される。表示制御装置１０は映像信号出力回路１４Ｌ、１４Ｒと参照像出力回路１５Ｌ、１５Ｒを備えている。映像信号出力回路１４Ｌ、１４Ｒは外部から入力される左右の映像信号を駆動回路１１Ｌ、１１Ｒにそれぞれ出力して、左右の映像表示装置１Ｌ、１Ｒに映像を表示させる。
　【００１６】
　参照像出力回路１５Ｌ、１５Ｒはそれぞれ、図３に示したように、キャラクタメモリー２１とコントラスト調節回路２２を有している。キャラクタメモリー２１には参照像として表示するための所定の記号情報が記憶保持されている。コントラスト調節回路２２は微分回路から成り、キャラクタメモリー２１の記号情報を高コントラストで鮮鋭な画像信号となす。参照像出力回路１５Ｌ、１５Ｒの出力は駆動装置１３Ｌ、１３Ｒに入力されて、参照像表示装置３Ｌ、３Ｒに参照像が表示される。
　【００１７】
　本実施例の光学装置は、通常の像観察を行う観察モードと視度調節を行う視度調節モードの２モードで使用される。このために、映像制御装置１０はモード切替スイッチ１６と映像出力設定スイッチ１７を有している。モード切替スイッチ１６は映像信号出力回路１４Ｌ、１４Ｒと参照像信号出力回路１５Ｌ、１５Ｒに接続されており、モード切替スイッチ１６の設定状況は映像信号出力回路１４Ｌ、１４Ｒと参照像信号出力回路１５Ｌ、１５Ｒに伝えられて信号の出力が制御される。映像出力設定スイッチ１７は映像信号出力回路１４Ｌ、１４Ｒに接続されており、視度調節モードにおける映像信号の出力／非出力の制御を行う。モード切替スイッチ１６と映像出力設定スイッチ１７は観察者が手動で操作し設定するものである。
　【００１８】
　モード切替スイッチ１６を観察モードに設定すると、映像信号出力回路１４Ｌ、１４Ｒは映像信号を出力し、映像表示装置１Ｌ、１Ｒに映像が表示される。これは映像出力設定スイッチ１７の設定状況には依存しない。観察モードにおいては左右の参照像信号出力回路１５Ｌ、１５Ｒはいずれも信号を出力せず、参照像表示装置３Ｌ、３Ｒには何も表示されない。参照像表示装置３Ｌ、３Ｒは透過型ＬＣＤのため観察モードでの映像観察を妨害することはない。
　【００１９】
　モード切替スイッチ１６を視度調節モードに設定すると、参照像信号出力回路１５Ｌ、１５Ｒはそれぞれ保有する参照像信号を出力し、左右の参照像表示装置３Ｌ、３Ｒに参照像が出力される。このとき映像信号出力回路１４Ｌ、１４Ｒから映像信号が出力されるか否かは、映像出力設定スイッチ１７の設置状況による。映像出力設定スイッチ１７がＯＮに設定されていれば映像信号出力回路１４Ｌ、１４Ｒから映像信号が出力されて映像が表示され、ＯＦＦに設定されていれば映像信号は出力されず映像表示はなされない。通常は、映像出力設定スイッチ１７をＯＮに設定して映像と参照像を両方表示して視度調節を行う。
　【００２０】
　視度調節は左右別個に行うが、その方法は左右で同じであり、以下一方の眼について説明する。接眼レンズ２をその前側焦点が映像表示装置１の表示面上に位置するように設定すると、図４に示したように、映像光は接眼レンズ２を透過して平行光となり、０ディオプトリになる。このとき眼４は無限遠に位置する虚像を観察することになる。映像表示装置１の表示面が接眼レンズ２の前側焦点と接眼レンズ２の間に位置するように接眼レンズ２を設定すると、図５のように、映像光は接眼レンズ２透過後発散光となり、眼４には虚像面６から映像光が発せられたように入射する。眼４は虚像面６に位置する虚像を観察することになり、このときは有限距離の視度である。
　【００２１】
　モード切替スイッチ１６を操作して視度調節モードにすると参照像表示装置３に参照像が表示される。参照像表示装置３は映像表示装置１と接眼レンズ２の間に設置されており、接眼レンズ２をその前側焦点が映像表示装置１の表示面に一致するように設定すると、図６に示すように、参照像は有限距離の視度になる虚像面７に位置するように観察される。映像出力設定スイッチ１７をＯＮに設定しておけば、観察者は図５の虚像面６の映像と図６の虚像面７の参照像の両方を観察することになる。このとき、映像は常に参照像よりも遠方に存在するように観察される。
　【００２２】
　映像と参照像とを共に表示して視度調節を行うと、眼から映像までの距離と眼から参照像までの距離が異なるので、接眼レンズ２を移動させるべき方向に関する情報が得られる。例えば、映像の方が参照像よりも鮮明に観察されるときは、視度が遠側にずれており、接眼レンズ２を眼４に近づけることで視度調節ができる。逆に、参照像の方が映像よりも鮮明に観察されるときには視度が近側にずれており、接眼レンズ２を眼４から遠ざける方向に移動させることで視度調節ができる。
　【００２３】
　また、映像と参照像の鮮明さの違いから視度ずれの程度を知ることができる。このため、粗調節において視度ずれの程度に応じた速やかな接眼レンズ２の移動が可能になる。
　【００２４】
　しかも、映像の虚像面６は参照像の虚像面７よりも眼４から遠くに存在するため、映像と参照像とが共に鮮明に観察できるように視度調節がなされた状態では、映像の虚像面６は映像が鮮明に見える範囲内の最近点近傍に位置することはない。このように、映像と参照像とを共に観察しながら両者に対して視度調節を行えば、映像が遠方に導かれる。これにより、近距離映像を注視することによる眼の緊張を回避することができる。
　【００２５】
　参照像表示装置３にはコントラストが高く鮮鋭な像を表示する。図１の左右の参照像表示装置３Ｌ、３Ｒに表示する参照像を図７に示す。図７から明らかなように、参照像の形状は左右で異なっている。これらの参照像が参照像表示装置３Ｌ、３Ｒに適切に視度調節されて表示されているときに、左参照像を左眼４Ｌで右参照像を右眼４Ｒで同時に観察すると、左右の像は脳で合成されて観察者には図８のような１つの像を観察しているように認識される。
　【００２６】
　これらの参照像はコントラストが高く鮮鋭なので、参照像に対する視度調節は極めて容易に行うことができる。一方の参照像のみに視度調節がなされ他方の参照像に視度ずれがある状態を図９、１０に示す。これらの図において、点線は視度ずれのために参照像が鮮明に観察されていないことを表している。図９では左参照像は適切に視度調節され右参照像に視度ずれがあり、図１０では左参照像に視度ずれがあり右参照像は視度調節が適切になされている。
　【００２７】
　左右の参照像は形状が異なるので、両眼を開いて左右参照像を同時に観察しながら視度調節を行う場合にも、図９、１０のように一方の参照像に視度ずれがあれば観察者はそれを認識することができる。したがって、一方の眼を閉じることなく、常時両眼で観察しながら左右の視度調節を行うことができる。
　【００２８】
　さらに、図６に示した眼４から虚像面７までの距離が左右で差があるとき、左右の参照像は形状が異なるので、両眼で観察すると左右の参照像が同一平面上にないことを認識することができる。この場合、視度ずれが生じない範囲内で接眼レンズ２Ｌ、２Ｒの一方あるいは両方の位置を調節すれば、観察される左右の参照像を同一平面上に存在するように設定することができる。
　【００２９】
　前述のように、参照像表示装置３Ｌと映像表示装置１Ｌの間隔と参照像表示装置３Ｒと映像表示装置１Ｒの間隔は等しく設定されているため、眼から参照像の虚像面７までの距離を左右で等しく設定すれば、眼から映像表示装置１Ｌ、１Ｒに表示される映像の虚像面６（図５）までの距離も左右等しく設定される。したがって、視度調節を終了し観察モードで映像を観察する際に、眼から観察する左右映像までの距離が等しくなり、距離の不一致による眼の緊張が生じない。
　【００３０】
　参照像表示装置３Ｌ、３Ｒに表示される参照像は、映像表示装置１Ｌ、１Ｒの映像の全域に重なるようにしてもよいし、映像の一部領域のみ、例えば左映像の下部右寄りと右映像の下部左寄り、と重なるようにしてもよい。
　【００３１】
　上述の方法は、映像出力設定スイッチ１７をＯＮにして、視度調整モードにおいて参照像と映像を両方表示して視度調節を行うものであるが、映像出力設定スイッチ１７をＯＦＦにして、映像表示をせずに視度調節を行うこともできる。参照像は鮮鋭で高コントラストなため、従来のように映像を対象として視度調節するよりも容易になる。
　【００３２】
　ただし、この場合は参照像と映像を両方表示する方法に比べると、視度調節の対象が参照像のみになり、接眼レンズ２Ｌ、２Ｒを移動させるべき方向に関する情報は得られない。また、参照像表示装置３Ｌ、３Ｒは映像表示装置１Ｌ、１Ｒよりも接眼レンズ２Ｌ、２Ｒに接近して設置されているので、映像にも適切な視度設定がなされるように、参照像ができるだけ近くに観察されるように参照像に対して視度調節を行う配慮が必要になる。
　【００３３】
　映像表示装置１Ｌ、１Ｒにも参照像を表示する、または参照像表示装置３Ｌ、３Ｒに加えてもう１対の参照像表示装置を映像表示装置１Ｌ、１Ｒに近接させて配設すると、上記の配慮は不必要になる。このとき、前後の参照像が重ならないように参照像を表示する。第２対の参照像表示装置を用いる場合は参照像は映像と略一致する位置に表示されるため、映像を表示しなくても映像を表示した場合と同様に確実な視度調節を行うことができる。
　【００３４】
　視度調節モード時に、接眼レンズ２Ｌ、２Ｒの動きに連動して虚像面６または虚像面７の位置を算出し、図１１に示したように眼から虚像面までの距離を参照像に付加して表示するようにしてもよい。観察者はその表示された距離を参考にして接眼レンズ２Ｌ、２Ｒを移動させるべき方向を知ることができ、さらには、左右像の眼からの距離を容易に一致させることができる。
　【００３５】
　本実施例では参照像表示装置３Ｌ、３Ｒとして透過型ＬＣＤを使用したが、鮮鋭で高コントラストの像を提示することができ、かつ観察モード時に像観察を妨害しないものであれば他の表示装置を使用することができる。例えば、透過型フィルムを映像表示装置１Ｌ、１Ｒと接眼レンズ２Ｌ、２Ｒの間に配置し、参照像をこのフィルムに投影する光源を別途設けて、視度調節モード時に参照像を投影表示する。あるいは、ＬＥＤ（発光ダイオード）を退避可能に配設し、視度調節モードでは映像表示装置１Ｌ、１Ｒから接眼レンズ２Ｌ、２Ｒに至る光路上にＬＥＤを出現させて発光させ、観察モードではＬＥＤを光路から退避させる構成としてもよい。
　【００３６】
　また、本発明の視度調節装置は、接眼レンズ２Ｌ、２Ｒを固定設置し映像表示装置１Ｌ、１Ｒと参照像表示装置３Ｌ、３Ｒとを光軸５Ｌ、５Ｒに沿って移動させる方法の視度調節にも適用可能である。この場合、参照像表示装置３Ｌ、３Ｒを映像表示装置１Ｌ、１Ｒの動きに連動させて両者間の距離を常時一定に保つようにする。
　【００３７】
　本実施例では映像表示装置１Ｌ、１ＲとしてＬＣＤを用いたが、ＣＲＴ等の他の表示装置を用いてもよい。また、本発明の視度調節装置は映像表示装置を有する光学装置に限らず、双眼鏡のように観察対象物をレンズ等の光学系を通して観察する光学装置にも適用することができる。双眼鏡に適用する場合、対物レンズにより形成される２次像面と接眼レンズの間の左右の光路上に参照像表示装置を固定配置すれば、映像表示装置の映像を観察する場合と同様に視度調節を確実かつ容易に行うことができる。
　【００３８】
　さらに、本発明の視度調節装置は両眼視の光学装置に限らず、単眼鏡やスチルカメラあるいはビデオカメラのファインダーのように一方の眼のみで像観察を行う光学装置にも適用できる。
　【００３９】
　【発明の効果】
　本発明では、視度調節を行うときに観察対象像とともに参照像を表示するので、観察対象像に加えて参照像をも視度調節の対象とすることができる。参照像は観察対象像よりも手前に表示されるため、参照像と虚像の双方が鮮明に見えるように視度調節がなされると、観察対象である虚像は必然的に眼から遠方に位置することになる。こうして確実かつ容易に虚像を眼から遠方に位置させることができる。観察対象像の眼からの距離が遠いほど眼の緊張は少ないので、観察者の眼の疲労を軽減することができる。
　【００４０】
　また、参照像と観察対象像の表示距離が違うので、この２つの比較によって、視度が近側にずれているのか遠側にずれているのかを知ることができ、視度調節操作が容易になる。さらに、参照像として鮮鋭な像を表示することができるので、観察対象像の鮮明さに影響されずに視度調節を行うことができる。このため視度調節自体も確実かつ容易になる。
　【００４１】
　参照像を視度調節時以外は不可視にすると、視度調節においては上記の効果が発揮される上、視度調節後は参照像に妨害されることなく像観察を行うことができる。
【図面の簡単な説明】
　【図１】　本発明の視度調節装置を両眼視の光学装置に適用した構成図。
　【図２】　像表示制御回路の構成図。
　【図３】　参照像表示回路の構成図。
　【図４】　接眼レンズの前側焦点が映像表示面に一致するときの映像の光路を示す図。
　【図５】　接眼レンズの前側焦点が映像表示面よりも遠方に位置するときの映像の光路を示す図。
　【図６】　接眼レンズの前側焦点が映像表示面に一致するときの参照像の光路を示す図
　【図７】　左右の参照像を示す図。
　【図８】　両眼で観察して合成された左右参照像を示す図。
　【図９】　左参照像に視度ずれがなく右参照像に視度ずれがあるときに、両眼で観察して合成された左右参照像を示す図。
　【図１０】　左参照像に視度ずれがあり右参照像に視度ずれがないときに、両眼で観察して合成された左右参照像を示す図。
　【図１１】　左右の参照像に眼から虚像までの距離を付加して表示した状態を示す図。
　【符号の説明】
　　１　　映像表示装置
　　１Ｌ　左映像表示装置
　　１Ｒ　右映像表示装置
　　２　　接眼レンズ
　　２Ｌ　左接眼レンズ
　　２Ｒ　右接眼レンズ
　　３　　参照像表示装置
　　３Ｌ　左参照像表示装置
　　３Ｒ　右参照像表示装置
　　４　　眼
　　４Ｌ　左眼
　　４Ｒ　右眼
　　５Ｌ　左接眼レンズ光軸
　　５Ｒ　右接眼レンズ光軸
　　６　　映像虚像面
　　７　　参照像虚像面
　１１Ｌ　左映像表示装置駆動回路
　１１Ｒ　右映像表示装置駆動回路
　１３Ｌ　左参照像表示装置駆動回路
　１３Ｒ　右参照像表示装置駆動回路
　１４Ｌ　左映像信号出力回路
　１４Ｒ　右映像信号出力回路
　１５　　参照像信号出力回路
　１５Ｌ　左参照像信号出力回路
　１５Ｒ　右参照像信号出力回路
　１６　　モード切替スイッチ
　１７　　映像出力設定スイッチ
　２１　　キャラクタメモリー
　２２　　コントラスト調節回路